(57)【特許請求の範囲】
【請求項１】
建物の床スラブを貫通して配管される熱可塑性樹脂製の排水管継手の前記床スラブを貫通する部分の外面を被覆し、
前記排水管継手の外面形状を模った筒状に形成されており、
内側から順に、スポンジ材からなる第１の吸音層と、無機繊維の集合体からなる第２の吸音層と、防水性と遮音性の表皮層と、前記第１の吸音層と前記第２の吸音層との間に挟まれて、周に沿って少なくとも一条環状に設けられた熱膨張材と、を備える、排水管継手の被覆材。
【請求項２】
請求項１に記載の排水管継手の被覆材であって、
前記第１の吸音層は、ウレタンフォーム又はウレタンチップスポンジからなる、排水管継手の被覆材。
【請求項３】
請求項１又は請求項２に記載の排水管継手の被覆材であって、
前記第２の吸音層を構成する無機繊維は、グラスウール、ロックウール又はセラミックファイバーである、排水管継手の被覆材。
【請求項４】
請求項１から請求項３のうちいずれか一項に記載の排水管継手の被覆材であって、
前記表皮層は、アルミガラスクロスからなる、排水管継手の被覆材。
【請求項５】
請求項１から請求項４のうちいずれか一項に記載の排水管継手の被覆材であって、
前記第１の吸音層と前記第２の吸音層の上端面が防水材で覆われている、排水管継手の被覆材。
【発明の詳細な説明】
【技術分野】
【０００１】
本発明は、排水管継手の被覆材に関する。より詳しくは、建物の床スラブを貫通して配管される熱可塑性樹脂製の排水管継手の床スラブを貫通する部分の外面を被覆する被覆材に関する。
【背景技術】
【０００２】
例えば高層住宅等の複数の階層を有する建物の排水設備においては、多くの場合、各階の横枝管排水を立て管に流入させる排水管継手は、上階と下階とを仕切る床スラブを貫通して配管されている。この場合、床スラブの貫通孔に排水管継手が通された状態で貫通孔がモルタル等で埋め戻されており、排水管継手には、床スラブの上側で上階の立て管及び横枝管が接続されるとともに、床スラブの下側で下階の立て管が接続されている。このような排水設備では、排水管継手の内部を流下する排水の音が、床スラブを伝って居住空間へ漏れる問題がある。
【０００３】
そこで、排水による騒音を防止するために、吸音材や遮音材を含む被覆材で排水管継手を被覆する技術が知られている。被覆材は、一般に、吸音材や遮音材の表面に防水や保形のために表皮材を設ける構成となっている。例えば、特許文献１では、一実施形態において、排水管継手の略全部の外面が、内側から順に吸音層、遮音層、保形フィルムの三層で被覆されている。吸音層は、グラスウールやロックウール、軟質ウレタンフォーム、或いはセラミックファイバーやセルロースファイバー、ニードルパンチマットなどからなる。遮音層は、アスファルトシートやオレフィンシート、或いは鉄系軟質シートなどからなる。保形フィルムは、ポリプロピレン等の熱収縮性フィルムからなる表皮材である。この被覆材は、排水管継手に吸音層と遮音層とを巻き付け、その上から保形フィルムを被せて加熱し、保形フィルムを熱収縮させて吸音層と遮音層とを保形フィルムで締め付けることで排水管継手に被覆される。特許文献１によれば、かかる被覆材で排水管継手の略全体を被覆することで、排水音が、床スラブを伝い居住空間に漏れることに対する防音だけでなく、空気を伝い居住空間に漏れることに対する防音効果も有するとされる。また、特許文献１の別の実施形態では、排水の音が床スラブを伝い居住空間に漏れるのを防止することを目的として、排水管継手の外面のうち床スラブへ埋め戻される部分が、ロックウール等の多孔質吸音材料で被覆されており、好ましくは、多孔質吸音材料の表面がガラスクロスやアルミ系合金等からなる表皮材で被覆される。
【０００４】
ところで、建物の排水設備において、立て管系統は、床スラブを貫通して配管されるため、火災時には、その排水経路を通じて上下の階に延焼したり、煙が拡がったりするおそれがある。そこで、特許文献２には、熱可塑性樹脂からなる排水管継手の床スラブを貫通する部分に、シート状の熱膨張性耐火材を巻きつけることが提案されている。これにより、火災時には、熱膨張性耐火材が膨張して排水管継手を押しつぶしながら排水経路を閉塞し、上下の階への延焼や煙の流入を防止することができる。
【先行技術文献】
【特許文献】
【０００５】
【特許文献１】特開２００８−６４１５３号公報
【特許文献２】特開２００７−５６５３７号公報
【発明の概要】
【発明が解決しようとする課題】
【０００６】
排水管継手の内部を流下する排水の音が床スラブを伝って居住空間へ漏れるのを防止するためには、上記特許文献１の一実施形態のように、排水管継手の周囲に吸音層と遮音層を設け、吸音層で吸収しきれない音を遮音層で閉じ込めることで、防音効果は得られる。しかし、遮音層はアスファルトシート等の密度の高い材料からなるため、遮音層を設けることで排水管継手の重量が増加する問題があった。また、この特許文献１の一実施形態の場合、排水管継手に吸音層と遮音層とを巻き付け、その上から保形フィルムを被せて加熱し、保形フィルムを熱収縮させることで排水管継手が被覆される。そのため、被覆作業は容易でなく、作業環境が高温になりやすい問題もあった。一方、上記特許文献１の別の実施形態のように、排水管継手をロックウール等の多孔質吸音材料で被覆する場合、重量の増加は小さいが、多孔質吸音材料一層のみでは、排水の音が床スラブを伝って居住空間へ漏れるのを防止する効果が小さい。
【０００７】
また、上記特許文献２に記載されるように、熱可塑性樹脂製の排水管継手の床スラブに貫通する部分を熱膨張性耐火材で被覆すれば、火災時に、上下の階への延焼や煙が拡がるのを防止することはできるが、その機能に特化しており、防音効果を奏するものではなかった。
【０００８】
このように、従来の排水設備においては、排水管継手における防音と、火災時に排水管継手を通じて上下の階へ延焼したり煙が拡がったりするのを防止することとは、それぞれ個別に対処されていた。それに対し、本発明は、床スラブを伝う排水の音に対する防音と、火災時に排水管継手を通じて上下の階へ延焼したり煙が拡がったりするのを防止することとの双方を同時に可能とするという新規の着想によりなされたものである。すなわち、本発明は、建物の床スラブを貫通して配管される熱可塑性樹脂製の排水管継手の床スラブを貫通する部分の外面を被覆することで、重量の増加を抑制しながら、床スラブを伝う排水の音に対する防音が可能であるとともに、火災時に排水管継手を通じて上下の階へ延焼したり煙が拡がったりするのを防止することとが可能な、被覆が容易な被覆材を提供することを課題とする。
【課題を解決するための手段】
【０００９】
本発明の排水管継手の被覆材は、建物の床スラブを貫通して配管される熱可塑性樹脂製の排水管継手の前記床スラブを貫通する部分の外面を被覆し、前記排水管継手の外面形状を模った筒状に形成されている。この被覆材は、内側から順に、スポンジ材からなる第１の吸音層と、無機繊維の集合体からなる第２の吸音層と、防水性と遮音性の表皮層と、前記第１の吸音層と前記第２の吸音層との間に挟まれて、周に沿って少なくとも一条環状に設けられた熱膨張材と、を備える。
【００１０】
本発明の排水管継手の被覆材によれば、排水管継手の床スラブに貫通する部分において、スポンジ材からなる第１の吸音層と、無機繊維の集合体からなる第２の吸音層との二層の吸音層により排水管継手の内部を流下する排水の音を吸音するとともに、防水性と遮音性の表皮層で音漏れが低減されることで、重量の増加を抑制しながらも、床スラブを伝う排水の音を的確に低減することができる。また、この排水管継手の被覆材によれば、火災時には、床スラブ内で外方への膨張が規制された熱膨張材が、熱により軟化した熱可塑性樹脂製の排水管継手を締め付けるように管内方へ膨張して管を閉塞する。そのため、火災時に排水管継手を通じて上下の階へ延焼したり煙が拡がったりするのを防止することができる。また、この排水管継手の被覆材によれば、排水管継手の外面形状を模った筒状に形成されているため、容易に排水管継手に被せることができる。
【００１１】
前記第１の吸音層は、好ましくは、ウレタンフォーム又はウレタンチップスポンジからなる。この場合、床スラブを伝う排水の音をより的確に低減することができる。
【００１２】
前記第２の吸音層を構成する無機繊維は、好ましくは、グラスウール、ロックウール又はセラミックファイバーである。この場合、床スラブを伝う排水の音をより的確に低減することができる。
【００１３】
前記表皮層は、好ましくは、アルミガラスクロスからなる。この場合、表皮層が破れにくく防水性と遮音性をより的確に発揮することができる。
【００１４】
上記排水管継手の被覆材は、好ましくは、前記第１の吸音層と前記第２の吸音層の上端面が防水材で覆われている。この場合、建物の建設中に第１の吸音層と第２の吸音層とが雨水に晒されるのを防ぐことができ、第１の吸音層と第２の吸音層に雨水が浸透するのを防ぐことができる。
【発明の効果】
【００１５】
本発明の排水管継手の被覆材によれば、容易に排水管継手を被覆することができ、建物の床スラブを貫通して配管される熱可塑性樹脂製の排水管継手の床スラブを貫通する部分の外面を被覆することで、重量の増加を抑制しながら、床スラブを伝う排水の音に対する防音と、火災時に排水管継手を通じて上下の階へ延焼したり煙が拡がったりするのを防止することとが可能である。
【図面の簡単な説明】
【００１６】
【図１】本発明の一実施形態に係る排水管継手の被覆材の斜視図である。
【図２】図１に示される被覆材の部分拡大断面図である。
【図３】図１に示される被覆材で排水管継手を被覆する過程を示す図である。
【図４】図３に示される被覆材が被覆された排水管継手の一配管例に係る排水設備を示す図であり、排水設備の一部を示す側面図である。
【図５】図４に示される排水設備の縦断面図である。
【図６】図５に示される排水管継手のVI部分を拡大して示す図である。
【図７】排水音の評価方法を説明する図であり、立て管系統の概略を示す図である。
【図８】排水音の評価方法を説明する図であり、試験室の斜視図である。
【図９】排水音の評価結果を示すグラフである。
【発明を実施するための形態】
【００１７】
以下、図面を参照しながら本発明の一実施形態について説明する。図１に示される被覆材１１は、図３に示されるように排水管継手５１に被覆されるものである。
【００１８】
排水管継手５１は、図４及び図５に示されるように、複数層を有する建物の排水設備Ｈ１の立て管系統を構成するものであり、上階Ａと下階Ｂとを仕切る床スラブＣＳを貫通して各階に配置される。排水管継手５１は、上階Ａにて排水立て管８１及び排水横枝管（図示省略）が接続されるとともに下階Ｂにて排水立て管８５が接続され、上階Ａの排水立て管８１及び排水横枝管（図示省略）により導かれた排水を合流させて下階Ｂの排水立て管８５に流入させる。
【００１９】
排水管継手５１は、略円筒状の胴部５３を備える。また、排水管継手５１は、上端部に上階Ａの排水立て管８１の下端部を接続するための上部接続部５５を備え、下端部に下階Ｂの排水立て管８５の上端部を接続するための下部接続部５７を備え、胴部５３の外周に排水横枝管（図示省略）を接続するための横枝管受け口５９ａ、５９ｂ、５９ｃ（図３参照）を備える。
【００２０】
図４及び図５に示されるように、排水管継手５１の上部接続部５５は、胴部５３から上方へ延設された円筒状であり、上方から排水立て管８１が差し込まれて接続される。図５に示されるように、上部接続部５５は、奥部に、排水立て管８１の通過は許容しないが排水立て管８１を流下する排水には干渉しないように径方向内方へ張り出す挿入規制部５５ａを有する。上部接続部５５の内部には、弾性体からなるパッキン５６が装着されている。パッキン５６は、上部接続部５５の内周面に沿う円筒状の本体部５６ａを備える。また、パッキン５６は、本体部５６ａの下端から上部接続部５５の挿入規制部５５ａに沿って径方向内方へ張り出す緩衝部５６ｂを備える。パッキン５６は、本体部５６ａの上部から径方向内方及び下方に張り出す襞状のシール部５６ｃを備える。排水立て管８１は、その外周面で襞状のシール部５６ｃを押し広げながら上部接続部５５に挿入され、下端面がパッキン５６の緩衝部５６ｂを介して挿入規制部５５ａに支持される。これにより、パッキン５６のシール部５６ｃが排水立て管８１の外周面に密着し、排水立て管８１と排水管継手５１とが水密に接続される。
【００２１】
図３に示されるように、排水管継手５１の横枝管受け口５９ａ、５９ｂ、５９ｃは、胴部５３の上部にて、周回りに９０°間隔で設けられている。横枝管受け口５９ａ、５９ｂ、５９ｃが設けられている胴部５３の上部の部位を上胴部６１と称する。図５に示されるように、横枝管受け口５９ｂは、胴部５３の外面から径方向外方へ延設された円筒状であり、胴部５３の径方向外方から排水横枝管（図示省略）が差し込まれて接続される。横枝管受け口５９ｂには、奥部に、排水横枝管の通過は許容しないが排水横枝管に導かれる排水の流れを妨げないように横枝管受け口５９ｂの径方向内方に張り出す挿入規制部５９ｙが設けられている。他の横枝管受け口５９ａ（図４）、５９ｃ（図５）も同様に、奥部に挿入規制部５９ｘ（図４）、５９ｚ（図５）を備えた円筒状である。
【００２２】
排水管継手５１の胴部５３は、横枝管受け口５９ａ、５９ｂ、５９ｃが設けられた上胴部６１と、その下方に連続して上から順に配置された大径直管部６３と、テーパ部６５と、小径直管部６７とからなる。大径直管部６３と小径直管部６７とはそれぞれ直管状であり、大径直管部６３は小径直管部６７に比べて内径が大きく、下方に向かって内径が小さくなるテーパ状のテーパ部６５を介して大径直管部６３と小径直管部６７とが接続されている。
【００２３】
小径直管部６７は、下部接続部５７を構成する。下部接続部５７は、小径直管部６７に排水立て管８５の上端部が下方から差し込まれた状態で接続される。下部接続部５７は、小径直管部６７の奥部に、排水立て管８５の通過を許容しないストッパ部５７ｓを備える。ストッパ部５７ｓは、小径直管部６７の径方向内方且つ下方に張り出して、テーパ部６５の延長線上に形成されている。下階Ｂに立設された排水立て管８５に対して排水管継手５１を相対変位させ、排水立て管８５の上端部を小径直管部６７に挿入し、排水立て管８５の上端面がストッパ部５７ｓに当接することで、排水立て管８５に排水管継手５１が積み上げられて、排水立て管８５と排水管継手５１とが接続される。
【００２４】
排水管継手５１の胴部５３の内面には、図５に示されるように、横枝管受け口５９ｃを挟んで左右両側に逆流防止壁６９ａ、６９ｂが形成されている。逆流防止壁６９ａ、６９ｂは、横枝管受け口５９ｃの上端よりも上方位置から横枝管受け口５９ｃの下端よりも下方位置まで、上下方向に延びる畝状に形成されている。この逆流防止壁６９ａ、６９ｂにより、旋回しながら流下してくる立て管排水や、他の横枝管受け口５９ａ、５９ｂから流入する横枝管排水が、横枝管受け口５９ｃに接続された排水横枝管（図示省略）に流れ込むのが防止される。横枝管受け口５９ａ、５９ｂの左右両側にも同様の逆流防止壁が形成されている。
【００２５】
また、排水管継手５１は、胴部５３の内面に、排水の流れを制御する第１ガイド６４ａと第２ガイド６４ｂとを備える。第１ガイド６４ａと第２ガイド６４ｂは、横枝管受け口５９ａ、５９ｂ、５９ｃが形成されている位置よりも下側にて、大径直管部６３とテーパ部６５とに跨って設けられている。第１ガイド６４ａと第２ガイド６４ｂは、それぞれ扁平半円形をした羽根状であり、胴部５３の相対向する内面から径方向内方に張り出して、傾斜して設けられている。この第１ガイド６４ａと第２ガイド６４ｂに流下する排水が当たることにより、排水を減速させるとともに旋回させて流下させることができる。
【００２６】
排水管継手５１は、硬質塩化ビニル等の熱可塑性樹脂からなる。排水管継手５１は、胴部５３を上下に分割する上側パーツ７１及び下側パーツ７３と、下側パーツ７３の内部に嵌め込まれる内装パーツ７５とを主体として構成されている。
【００２７】
上側パーツ７１は、胴部５３の上側の部分を構成し、上部接続部５５及び横枝管受け口５９ａ、５９ｂ、５９ｃを備えた上胴部６１を形成し、その下端は直管状となっている。下側パーツ７３は、胴部５３の下側の部分を構成し、大径直管部６３、テーパ部６５及び小径直管部６７を形成し、その上端は直管状となっており、内装パーツ７５が内嵌されるとともに上側パーツ７１の下端が挿入されて接続されている。上側パーツ７１の下端の外面には、上下方向に延びる突条７１ｔが形成されており、下側パーツ７３の上部の内面には、上側パーツ７１の突条７１ｔが嵌合する溝７３ｍが形成されている。突条７１ｔと溝７３ｍとを嵌合させることで、下側パーツ７３に対して上側パーツ７１が周方向に位置決めされた状態で、上側パーツ７１と下側パーツ７３とが接続されている。
【００２８】
内装パーツ７５は、下側パーツ７３の上部に内嵌される筒状部７７と、第１ガイド６４ａと、第２ガイド６４ｂと、筒状部７７に第１ガイド６４ａを支持する第１ガイド支持部７７ａと、筒状部７７に第２ガイド６４ｂを支持する第２ガイド支持部７７ｂとを有する。第１ガイド支持部７７ａと第２ガイド支持部７７ｂは、相対向して筒状部７７から下側パーツ７３の内周面に沿って下方へ延びて形成されており、その下端に、それぞれ第１ガイド６４ａ又は第２ガイド６４ｂが形成されている。第１ガイド６４ａと、第２ガイド６４ｂのそれぞれには、下面に複数の補強リブ６４ｐ、６４ｑが一体形成されている。内装パーツ７５の外面には、下側パーツ７３の溝７３ｍと嵌合可能な突条７５ｔが形成されている。突条７５ｔと溝７３ｍとを嵌合させることで、下側パーツ７３に対して内装パーツ７５を周方向に位置決めしながら、下側パーツ７３に対して内装パーツ７５が装着されている。そして、内装パーツ７５が内嵌された下側パーツ７３に上側パーツ７１が接続され、内装パーツ７５の筒状部７７と上側パーツ７１とが、隙間無く、且つ段差無く連続している。
【００２９】
被覆材１１は、排水管継手５１の胴部５３のうち、少なくとも、排水管継手５１の床スラブＣＳを貫通している部分の外面の全周を被覆する。排水管継手５１は、横枝管受け口５９ａ、５９ｂ、５９ｃが床スラブＣＳ上のできるだけ低い位置に配置されるように配管されており、横枝管受け口５９ａ、５９ｂ、５９ｃが形成された位置の直下位置から下側が床スラブＣＳに貫通しており、下部接続部５７が床スラブＣＳの下面から突出している。すなわち、大径直管部６３とテーパ部６５とが床スラブＣＳを貫通してモルタルＭで埋め戻されている。本実施形態の被覆材１１は、横枝管受け口５９ａ、５９ｂ、５９ｃが形成された位置より下側の略全体を被覆し、大径直管部６３及びテーパ部６５の全体と、小径直管部６７の略全体を被覆する。
【００３０】
被覆材１１は、図１及び図３に示されるように、排水管継手５１の外面形状を模った筒状に形成されている。被覆材１１は、上から順に、排水管継手５１の大径直管部６３に対応して直管状に形成された大径直管状部位１１ａと、テーパ部６５に対応して下方に窄まるテーパ状に形成されたテーパ状部位１１ｂと、小径直管部６７に対応して形成された大径直管状部位１１ａより径の小さい小径直管状部位１１ｃと、を備える。また、被覆材１１は、図２に示されるように、排水管継手５１の外面に接する内側からこの順で配置された、第１の吸音層１３と、第２の吸音層１５と、表皮層１７とを備える。
【００３１】
第１の吸音層１３は、被覆材１１の最も内側に配置され、排水管継手５１の内部を流下する排水の音を吸収する。第１の吸音層１３は、スポンジ材からなる。第１の吸音層１３に用いられるスポンジ材は、合成樹脂等からなり、内部に無数の気泡を有する多孔質材料である。かかるスポンジ材は粘弾性体であり、優れた内部損失を有するので音を吸収する。例えば、ウレタンフォームや、ウレタンフォームの端材や廃材を細分化して接着剤で結合して成形したウレタンチップスポンジ、あるいはポリエチレンフォームやポリエチレンフォームの端材や廃材を細分化して接着剤で結合して成形したポリエチレンチップスポンジは、吸音効果が高く、第１の吸音層１３に好適である。第１の吸音層１３に用いられるスポンジ材は、連続気泡体であると、より吸音効果が高く好ましい。第１の吸音層１３の厚みは、３〜１０ｍｍ程度であるのが望ましい。
【００３２】
第２の吸音層１５は、第１の吸音層１３の外側に積層されており、排水管継手５１の内部を流下する排水の音を吸収する。第２の吸音層１５は、無機繊維の集合体からなる。無機繊維としては、人造鉱物繊維が挙げられ、例えば、グラスウール、ロックウール又はセラミックファイバーは、吸音効果が高く、第２の吸音層１５に好適である。ここで、ロックウールとは、天然岩石又は高炉スラグなど鉄鋼スラグなどを主原料として製造されたものの総称である。第２の吸音層１５の厚みは、３〜１０ｍｍ程度であるのが望ましい。
【００３３】
表皮層１７は、第２の吸音層１５の外側に積層されて、被覆材１１の外表面を構成する。表皮層１７は、防水性を備え、例えば建物の建設中に被覆材１１で被覆された排水管継手５１が雨水に晒されたときに、被覆材１１の外表面から第２の吸音層１５や第１の吸音層１３に雨水が浸透するのを防ぐ。また、表皮層１７は、遮音性を備える。表皮層１７の遮音性は、第１の吸音層１３と第２の吸音層１５よりも密度が高いことで担保される。表皮層１７としては、防水性と遮音性とを備える種々のシート状の材料を用いることができる。このような表皮層１７の材料としては、例えば、アルミやステンレス等の金属の薄膜（金属箔）や、金属箔の内面にガラスクロスやクラフト紙や不織布等が積層された積層体、或いはポリエステルフィルム等の合成樹脂からなるフィルムや積層体等が挙げられる。なかでも、アルミ箔の内面にガラスクロスが積層されたアルミガラスクロスが表皮層１７としては最も好適である。表皮層１７がアルミガラスクロスからなる場合、被覆材１１に傷が付きにくいだけでなく、遮音効果が比較的高い。
【００３４】
被覆材１１は、床スラブＣＳに埋め戻される部位における軸方向の少なくとも一箇所において、周に沿って熱膨張材２１を備える。熱膨張材２１は、火災の熱により膨張する熱膨張性材料からなり、火災時に加熱されて膨張して、熱により軟化した熱可塑性樹脂製の排水管継手５１を締め付けるように管内方へ膨張して管を閉塞する。熱膨張材２１に適用される熱膨張性材料としては、火災時の熱（約２００℃以上）で膨張する難燃性の材料が好適であり、例えば、膨張黒鉛を含む成形体や、膨張黒鉛の粉体が好ましい。この被覆材１１では、熱膨張材２１は、大径直管状部位１１ａにて環状に一条設けられており、第１の吸音層１３と第２の吸音層１５に挟まれている。
【００３５】
被覆材１１は、上端に防水材３１を備える。防水材３１は、第１の吸音層１３と第２の吸音層１５の上端面全体を塞いで、第１の吸音層１３及び第２の吸音層１５に水が染み透るのを防ぐものである。本実施形態の被覆材１１において、防水材３１は、吸水性ポリマーの粉体が漉き込まれたフェルト様の複合材からなる。この防水材３１は、吸水性ポリマーが水を吸収して膨潤してゲル化することで、排水管継手５１の外面に密着しながら、防水材３１を水が染み透るのを防ぐことができる。吸水性ポリマーとしては、例えば、ポリアクリル酸ナトリウムなどのポリアクリル酸塩が挙げられる。
【００３６】
被覆材１１は、各層を形成するシート材料を、適宜の手順で、裁断、積層、筒状に成形しつつ、熱膨張材２１と防水材３１とを組み込むことで、予め筒状とされる。
【００３７】
図３に示されるように、被覆材１１の上端側から排水管継手５１の下端を差し込むことで、排水管継手５１に被覆材１１が被覆される。そして、図４〜図６に示されるように、被覆材１１の上端と下端とがそれぞれテープ４１ａ、４１ｂで排水管継手５１の外面に固定される。テープ４１ａ、４１ｂが排水管継手５１の周囲に一周以上巻き付けられた状態で、被覆材１１が排水管継手５１の外面に固定されるのが望ましい。
【００３８】
排水管継手５１は、予め被覆材１１で被覆された状態で配管される。排水管継手５１を配管する際は、典型的には、上階Ａ側から、床スラブＣＳの貫通孔ＣＨを通じて下階Ｂに配管された排水立て管８５の上端に接続され、次いで、上階Ａにて排水管継手５１の上部接続部５５に排水立て管８１が接続される。床スラブＣＳの貫通孔ＣＨはモルタルＭで埋め戻される。ここで、排水管継手５１は、床スラブＣＳの貫通孔ＣＨに通されてモルタルＭで埋め戻される部分全体が被覆材１１で被覆されており、且つ熱膨張材２１はモルタルＭで埋め戻されている。
【００３９】
なお、本実施形態で例示する排水立て管８１、８５は、硬質塩化ビニル管であり、上下端の排水管継手５１との接続部以外の部分は繊維強化モルタル（不燃材及び繊維等を混ぜたモルタル）製の外管８３，８７で覆われており、所謂耐火二層管を構成している。
【００４０】
以上の構成の被覆材１１によれば、次の作用効果を奏する。まず、スポンジ材からなる第１の吸音層１３と無機繊維の集合体からなる第２の吸音層１５との異なる二層の吸音層を有することで、比較的軽量でありながらも、排水管継手５１の内部を流下する排水の音を的確に吸音して床スラブＣＳを伝う排水の音を低減することができる。さらに、表皮層１７がアルミガラスクロスからなることにより、排水の音が床スラブＣＳに伝わるのを遮り、床スラブＣＳを伝う排水の音が一層低減される。
【００４１】
また、被覆材１１は、排水管継手５１のモルタルＭで床スラブＣＳに埋め戻される位置に対応して熱膨張材２１を内包しており、火災時には、モルタルＭにより外方への膨張が規制された熱膨張材２１が、熱により軟化した熱可塑性樹脂製の排水管継手５１を締め付けるように管内方へ膨張して管を閉塞する。そのため、火災時に排水管継手５１を通じて延焼したり煙が拡がったりするのを防止することができる。
【００４２】
なお、被覆材１１は、より外側に無機繊維の集合体からなる第２の吸音層１５が積層されているため、排水管継手５１の床スラブＣＳから露出する部分も被覆する場合には、火災時にその露出部分で耐火性を発揮して排水管継手５１を保護することができる。
【００４３】
このように、被覆材１１は、排水管継手５１に被せるだけで、床スラブＣＳを伝う排水の音に対する防音作用と、火災時の延焼防止作用との双方を、容易に排水管継手５１に付与することができる。しかも、被覆材１１は予め排水管継手５１の外面形状を模った筒状に形成されているため、被覆材１１に排水管継手５１を挿通させることで容易に排水管継手５１に被せることができる。ここで、被覆材１１は、排水管継手５１のテーパ状の部位（テーパ部６５）に対応して下方に窄まるテーパ状に形成されたテーパ状部位１１ｂを備えるため、テーパ状部位１１ｂで排水管継手５１の外面にフィットさせやすい。
【００４４】
また、被覆材１１は、第１の吸音層１３と第２の吸音層１５の上端面が防水材６５で覆われている。そのため、建物の建設中に第１の吸音層１３と第２の吸音層１５とが雨水に晒されるのを防ぎ、第１の吸音層１３と第２の吸音層１５に雨水が浸透するのを防ぐことができる。防水材３１は、吸水性ポリマーが水を吸収して膨潤してゲル化することで、排水管継手５１の外面に密着しながら確実に透水を防ぐことができる。
【００４５】
なお、本発明の被覆材は、上記実施形態に限定されるものではなく、他の実施形態も考えられる。防水材は、吸水ポリマーによるものに限定されず、例えばゴム等でもよい。また、防水材を省略することもできる。その場合、例えば、被覆材の上端を排水管継手の外面に固定するテープとして防水性のテープを適用し、そのテープにより被覆材の上端面に水が浸透しないように上端面を塞ぎながら被覆材と排水管継手の外面とを固定するのが望ましい。かかる防水性のテープの一例としてブチルテープが挙げられる。ブチルテープは、伸縮性がよく自己融着により密閉効果が高いため好ましい。
【実施例】
【００４６】
実施例１と比較例１では、図４に示される熱可塑性樹脂製の排水管継手５１の床スラブＣＳを貫通する部分の外面を被覆する被覆材として、異なる積層構成の被覆材を作製して排水管継手に被せ、建物の排水設備（立て管系統）に組み込んで排水音の評価をした。なお、このとき、排水管継手の床スラブの上方へ露出する部分には、各例共通で内側からフェルト（厚さ５ｍｍ）とゴム（厚さ１．５ｍｍ）とを順に備えた二層構造の被覆材を被せた。
【００４７】
［実施例１］
第１の吸音層と、第２の吸音層と、表皮層と、の３層を、内側からこの順で備える被覆材を作成し、排水管継手の床スラブを貫通する部分に被せた。第１の吸音層は、厚さ５ｍｍのウレタンフォームを用いた。第２の吸音層は、グラスウールにバインダを加えて厚さを５分の１に圧縮して、厚さ５ｍｍのシート状としたものを用いた。表皮層は、アルミガラスクロスを用いた。
【００４８】
［比較例１］
吸音層と、表皮層と、の２層を、内側からこの順で備える被覆材を作製し、排水管継手の床スラブを貫通する部分に被せた。吸音層は、グラスウールにバインダを加えて厚さを５分の１に圧縮して、厚さ１０ｍｍのシート状としたものを用いた。表皮層は、アルミガラスクロスを用いた。
【００４９】
［排水音の評価］
排水音の評価をするにあたり、まず、図７に示されるように、実験タワーに立て管系統Ｔを配管した。用いた実験タワーは、各階が床スラブＣＳで区画された９階建ての建物である。立て管系統Ｔは、各階に立設された排水立て管１８１を、各階の床スラブＣＳに貫通して配設された排水管継手１５１で接続した構成とした。立て管系統Ｔの上端は、立て管系統Ｔへ空気を取り入れることのできるベントキャップ１８３で覆った。立て管系統Ｔの下端は、脚部継手１８５を介して横主管１８７へ接続した。この実験タワーでは、９階（９Ｆ）〜６階（６Ｆ）の各階に配設された排水管継手１５１には、排水管継手１５１へ排水を流す排水横枝管１８９を１本ずつ接続可能となっている。
【００５０】
評価の対象となる被覆材で覆われた排水管継手Ａは、３階（３Ｆ）の床を形成する床スラブＣＳに貫通してセメントモルタルで埋め戻した。３階（３Ｆ）には、図８に示されるように、石膏ボードからなる壁と天井とで区画された箱型の試験室２０１を設けた。試験室２０１の外寸は、幅１１００ｍｍ×奥行き１１５０ｍｍ×高さ２１５０ｍｍとした。試験室２０１は、厚さ９．５ｍｍの石膏ボードからなる隔壁２０３により幅方向を略半分に区切り、パイプシャフト２０５と測定室２０７とに分割した。試験室２０１のパイプシャフト２０５を貫通して立て管系統Ｔを配管し、測定室２０７に騒音計のマイクロホン２１１を設置した。マイクロホン２１１は、高さ１２００ｍｍの位置に、隔壁２０３（パイプシャフト２０５）に向けて設置した。
【００５１】
排水音の評価は、立て管系統Ｔに、１、３、５又は６．５Ｌ／ｓの定流量の水を流して行った。その際、各階の排水管継手１５１にそれぞれ１本ずつ接続される排水横枝管１８９の最大流量は、２．５Ｌ／ｓ（ＳＨＡＳＥ−Ｓ２１８−２００８集合住宅の排水管システムの排水能力試験法に準拠した流量）とした。立て管系統Ｔへの排水は、最上階である９階（９Ｆ）から始め、その階の排水流量が最大流量（２．５Ｌ／ｓ）を超える場合は、その階の直下階から順次排水を加えて、その合計が前記定流量となるようにした。立て管系統Ｔに定流量の水が流れるときの音を、マイクロホン２１１で検知し、騒音計で６３〜８０００Ｈｚの各周波数におけるオクターブバンド中心の音圧レベルを測定した。定流量が１，３，５，６．５Ｌ／ｓの各々の場合における音圧レベルを測定し、平均値を算出した。その結果を図９に示されるようにＮＣ曲線上にプロットした。なお、騒音計は、小野測器製、高性能普通騒音計ＬＡ−３２６０（測定モード：等価騒音レベルＬｅｑ  ＦＡＳＴ  Ｆ特性）を用いた。
【００５２】
［評価結果］
図９より明らかなように、実施例１の被覆材は、住環境で特に重視される中域の周波数領域（２５０〜１０００Ｈｚ）を含む全ての周波数領域において比較例１の被覆材よりも高いの防音効果を有しており、比較例１ではＮＣ値が３５であったのに対して、実施例１ではＮＣ値が３０と、よりＮＣ値が小さかった。この結果より、熱可塑性樹脂からなる排水管継手の床スラブを貫通する部分においては、内側から順に、スポンジ材からなる第１の吸音層と、無機繊維の集合体からなる第２の吸音層との異なる材質の二層の吸音層を備えることにより、より高い防音性能を発揮することが明らかとなった。ここで、第２の吸音層は、それ自体が吸音することで防音効果を発揮するが、実施例１では無機繊維にバインダを加えて保形性が高められているため、粘弾性体であるスポンジ材からなる第１の吸音層の拘束層として作用することによっても、二層でより効率よく音を吸収することができるものと推察される。
【符号の説明】
【００５３】
１１   被覆材
１３   第１の吸音層
１５   第２の吸音層
１７   表皮層
２１   熱膨張材
３１   防水材
５１   排水管継手
ＣＳ   床スラブ
ＣＨ   貫通孔
Ｍ     モルタル
【図１】
0006576713.tif 000002
【図２】
0006576713.tif 000003
【図３】
0006576713.tif 000004
【図４】
0006576713.tif 000005
【図５】
0006576713.tif 000006
【図６】
0006576713.tif 000007
【図７】
0006576713.tif 000008
【図８】
0006576713.tif 000009
【図９】
0006576713.tif 000010